【事件の表示】
　特許第２９８５１４０号「レンズ鏡筒」の請求項１に係る特許に対する特許異議の申立てについて、次のとおり決定する。
【結　論】
　訂正を認める。
　特許第２９８５１４０号の請求項１に係る特許を維持する。
【理　由】
（１）手続の経緯
　特許第２９８５１４０号の請求項１に係る発明は、平成４年７月１４日に特許出願され、平成１１年１０月１日にその特許の設定登録がなされ、その後異議申立人小塚浩により特許異議の申立がなされ、取消理由通知がなされ、その指定期間内である平成１２年１０月６日に訂正請求がなされたものである。
　
（２）訂正の適否についての判断
　（ア）訂正の内容
訂正事項ａ
　特許請求の範囲の請求項１における「鏡筒本体内に光軸と平行に配設されたガイドバーと、このガイドバーに沿って光軸方向に移動するレンズ移動枠とを有するレンズ鏡筒において、前記鏡筒本体の後部に切欠きを設け、」を「鏡筒本体内に光軸と平行に配設されたガイドバーと、このガイドバーに沿って光軸方向に移動するレンズ移動枠とを有し、ピント面における有効画面が横長の四角形とされたレンズ鏡筒において、前記鏡筒本体の後部に切欠きを設け、該切欠きは前記横長の四角形の上下方向に対応する前記後部の上下面に設けており、」と訂正する。
　
訂正事項ｂ
　明細書の段落【０００７】を「【課題を解決するための手段】
　本発明は下記のような構成を有することを特徴とするレンズ鏡筒である。
　（１）鏡筒本体内に光軸と平行に配設されたガイドバーと、このガイドバーに沿って光軸方向に移動するレンズ移動枠とを有し、ピント面における有効画面が横長の四角形とされたレンズ鏡筒において、前記鏡筒本体の後部に切欠きを設け、該切欠きは前記横長の四角形の上下方向に対応する前記後部の上下面に設けており、この切欠きに前記レンズ移動枠を駆動する駆動装置の一部を入り込ませ、前記切欠きと前記駆動装置との間のすき間を埋めるとともに、前記駆動装置の光軸側の面を覆う低反射率の遮光部材を設けたことである。」と訂正する。
　
訂正事項ｃ
　平成１０年５月２５日付で補正された明細書の段落【００１１】の第３行目から第４行目にかけての「このレンズ移動枠２５」を「このレンズ移動枠３０」と、同第７行目の「切欠き２８ａ」を「切欠き２８ｂ」と訂正する。
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂに係る訂正は、明瞭でない記載の釈明に該当し、実質的に特許請求の範囲を拡張又は変更するものではないし、新規事項の追加にも該当しない。
　
　訂正事項ｃに係る訂正は、誤記の訂正に該当し、実質的に特許請求の範囲を拡張又は変更するものではないし、新規事項の追加にも該当しない。　
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人小塚浩は、証拠として甲第１号証（特開平３−２３６００５号公報）、甲第２号証（特開昭６３−４６４１９号公報）を提出し、本件請求項１に係る発明の特許は、甲第１及び２号証記載の発明に基づいて当業者が容易に発明することができたものであるので特許法第２９条第２項の規定に違反してなされたものであるので、本件請求項１に係る発明の特許を取り消すべき旨主張している。
　
　（イ）本件請求項１に係る発明
　上記「（２）訂正の適否についての判断」で示したように上記訂正が認められるから、本件請求項１に係る発明（以下、「本件発明」という。）は、上記訂正請求に係る訂正明細書の特許請求の範囲の請求項１に記載された事項により特定される次のとおりのものである。
「【請求項１】　鏡筒本体内に光軸と平行に配設されたガイドバーと、このガイドバーに沿って光軸方向に移動するレンズ移動枠とを有し、ピント面における有効画面が横長の四角形とされたレンズ鏡筒において、前記鏡筒本体の後部に切欠きを設け、該切欠きは前記横長の四角形の上下方向に対応する前記後部の上下面に設けており、この切欠きに前記レンズ移動枠を駆動する駆動装置の一部を入り込ませ、前記切欠きと前記駆動装置との間のすき間を埋めるとともに、前記駆動装置の光軸側の面を覆う低反射率の遮光部材を設けたことを特徴とするレンズ鏡筒。」
　
　（ウ）引用刊行物
　本件発明に対して、当審が平成１２年７月２８日付で通知した取消理由で引用した刊行物１〔甲第１号証（特開平３−２３６００５号公報）〕には、
「モータや電池を鏡筒に収納するためには、カム環に、これらを収納するための切欠を設けなければならない。仮に設けないと、カム環の外側にこれらを配置しなければならず、鏡筒が大型化する。ところがこの切欠は、カム環のテレ端からワイド端までの全回動域においてモータや電池との干渉を避けるために大きくならざるを得ず、その結果カム環の機械的強度を損ない、変形を生じさせるおそれがある。カム環が変形すると、レンズ位置が不正確になるばかりか、トルク変動が生じて円滑な作動が得られず、電動ズームではモータ（ズーム）スピードが変動してしまう。
「発明の目的」
　本発明は、このような問題意識に基づき、カム環の変形のおそれのなく、バック調整を行なうことができるズームレンズ鏡筒を得ることを目的とする。」（第１頁右欄第１６行〜第２頁左上欄第１３行）
　
「以下図示実施例について本発明を説明する。マウント環１１には、内固定筒１２と外固定筒１３が一体にされている。内固定筒１２の外周には、カム環１４が回動自在に嵌められ、このカム環１４の外周にさらに第１レンズ移動環１５が嵌められている。カム環１４には、３本のカム溝Ａ、Ｂ、Ｃが切られている。第１レンズ移動環１５には、ヘリコイドＨによりフォーカシング環１６が螺合していて、このフォーカシング環１６に第１群レンズＬ１を固定した第１レンズ枠１７が螺合されている。第１レンズ枠１７はフォーカシング環１６に対して回動させることにより光軸方向に位置調整可能であり、この位置調整によりズーム調整ができる。１８はセットビスを示す。
　内固定筒１２の内側には、第２群レンズＬ２を固定した第２レンズ枠１９と、第３群レンズＬ３を固定した第３レンズ枠２０がそれぞれ嵌められている。この第２レンズ枠１９と第３レンズ枠２０には、それぞれピンｂ、ｃが植設されている。また第１レンズ移動環１５には、ピンａが植設されていて、これらのピンａ、ｂ、ｃは、内固定筒１２に設けた別々の直進案内溝と、カム環１４のカム溝Ａ、Ｂ、Ｃにそれぞれ嵌まっている。従ってカム環１４が回動すると、カム溝Ａ、Ｂ、Ｃの形状に応じ、第１レンズ移動環１５（第１群レンズＬ１）、第３レンズ枠２０（第２群レンズＬ２）、２１（第３群レンズＬ３）が光軸方向に直進移動してズーミングがなされる。」（第２頁右上欄第１３行〜同頁左下欄第２０行）
　
「他方、内固定筒１２の後部には、調整環２５が螺合されている。」（第２頁右下欄第１５〜１６行）
　
「内固定筒１２および調整環２５には、このモータ３８を収納するために、切欠４１（第１図）および４２（第２図）が形成されている。」（第３頁右上欄第１２〜１４行）
　
「よって、モータ３８を介してのパワーズーム、およびマニュアルズーム環２２を介してのマニュアルズームとも、円滑に行なわせることができる。」（第３頁右下欄第９〜１２行）が記載されている。
　
　同刊行物２〔甲第２号証（特開昭６３−４６４１９号公報）〕には、
「そこで、本発明ではカメラ本体側の合焦機構はそのまま用いて、更に上記カメラ本体側の合焦駆動軸３０（第３図参照）に連結するレンズ鏡筒側の駆動軸５１によってレンズ鏡筒内に配設された発電機５３を駆動し、同発電機５３で上記駆動軸５１の回転を電気信号に変換し、その出力をサーボモーター回路５４で電圧に変換増幅し、レンズ鏡筒側に収納された強力な電源電池６１でサーボモーター５５を回転して、レンズ鏡筒を移動して合焦するようにしてある。」（第４頁左下欄第１１〜２０行）
　
「４４は上記固定筒４１の後端部に基部が固着され同固定筒４１の内方に延びたパイプ状の遮光筒」（第４頁右下欄第５〜７行）が記載されている。
　
　（エ）対比・判断
　本件発明と上記刊行物１及び２（甲第１及び２号証）に記載の発明とを対比すると、刊行物１及び２に記載の発明は、本件発明を特定する事項である「ピント面における有効画面が横長の四角形とされたレンズ鏡筒において、鏡筒本体の後部に切欠きを設け、該切欠きは前記横長の四角形の上下方向に対応する前記後部の上下面に設けており、この切欠きに駆動装置の一部を入り込ませ」た点を備えておらず、この点により本件発明は、明細書記載の「レンズ鏡筒の最大外径を小さくしてコンパクト化」できるという効果を奏するものであり、本件発明が上記刊行物１あるいは２に記載された発明であるとも、刊行物１及び２に記載の発明から容易に推考することができたものともいえない。
　
　（オ）むすび
　以上のとおりであるから、特許異議の申立の理由及び証拠によっては、本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１２月２６日（２０００．１２．２６）
【訂正の要旨】
　　　（訂正の要旨）
訂正事項ａ
　特許請求の範囲の請求項１における「鏡筒本体内に光軸と平行に配設されたガイドバーと、このガイドバーに沿って光軸方向に移動するレンズ移動枠とを有するレンズ鏡筒において、前記鏡筒本体の後部に切欠きを設け、」を「鏡筒本体内に光軸と平行に配設されたガイドバーと、このガイドバーに沿って光軸方向に移動するレンズ移動枠とを有し、ピント面における有効画面が横長の四角形とされたレンズ鏡筒において、前記鏡筒本体の後部に切欠きを設け、該切欠きは前記横長の四角形の上下方向に対応する前記後部の上下面に設けており、」と訂正する。
訂正事項ｂ
　明細書の段落【０００７】を「【課題を解決するための手段】
　本発明は下記のような構成を有することを特徴とするレンズ鏡筒である。
　（１）鏡筒本体内に光軸と平行に配設されたガイドバーと、このガイドバーに沿って光軸方向に移動するレンズ移動枠とを有し、ピント面における有効画面が横長の四角形とされたレンズ鏡筒において、前記鏡筒本体の後部に切欠きを設け、該切欠きは前記横長の四角形の上下方向に対応する前記後部の上下面に設けており、この切欠きに前記レンズ移動枠を駆動する駆動装置の一部を入り込ませ、前記切欠きと前記駆動装置との間のすき間を埋めるとともに、前記駆動装置の光軸側の面を覆う低反射率の遮光部材を設けたことである。」と訂正する。
訂正事項ｃ
　平成１０年５月２５日付で補正された明細書の段落【００１１】の第３行目から第４行目にかけての「このレンズ移動枠２５」を「このレンズ移動枠３０」と、同第７行目の「切欠き２８ａ」を「切欠き２８ｂ」と訂正する。
（５４）【発明の名称】
レンズ鏡筒
（５７）【特許請求の範囲】
　　【請求項１】　鏡筒本体内に光軸と平行に配設されたガイドバーと、このガイドバーに沿って光軸方向に移動するレンズ移動枠とを有し、ピント面における有効画面が横長の四角形とされたレンズ鏡筒において、前記鏡筒本体の後部に切欠きを設け、該切欠きは前記横長の四角形の上下方向に対応する前記後部の上下面に設けており、この切欠きに前記レンズ移動枠を駆動する駆動装置の一部を入り込ませ、前記切欠きと前記駆動装置との間のすき間を埋めるとともに、前記駆動装置の光軸側の面を覆う低反射率の遮光部材を設けたことを特徴とするレンズ鏡筒。
【発明の詳細な説明】
　　　【０００１】
　　【産業上の利用分野】
　本発明はレンズ鏡筒、特に鏡筒本体内に光軸と平行に配設されたガイドバーに支持され、光軸方向に移動してズーミングおよびフォーカミングを行なうレンズ移動枠と、このガイドバーの所定位置に固定されたレンズ固定枠および光量調整部材とを有するレンズ鏡筒に関するものである。
　　　【０００２】
　　【従来の技術】
　図６は従来のリアフォーカス方式のレンズ鏡筒を示す縦断面図、図１４はその左側面図であり、図６，図７において、２１は前部鏡筒本体であり、この前部鏡筒本体２１の前部と後部にはそれぞれ前群レンズ２２と後群レンズ２３を固定してある。２４ａ，２４ｂは前部鏡筒本体２１の内部に光軸と平行に配設されたガイドバー、２５は変倍レンズ群２５ａを保持するレンズ移動枠であり、このレンズ移動枠２５は上記ガイドバー２４ａ、２４ｂに光軸方向移動可能に支持されている。２６は後群レンズ２３の直前に位置するように前部鏡筒本体２１に設けられた絞りユニット、２７は前部鏡筒本体２１の外面に支持され、上記絞りユニット２６を駆動するアクチュエータとしてのモータである。
　　　【０００３】
　２８は前部鏡筒本体２１の後端に連結固定した後部鏡筒本体、２９ａ、２９ｂは後部鏡筒本体２８の内部に光軸と平行に配設されたガイドバー、３０は焦点を合わせるためのフォーカスレンズ群３１を保持するレンズ移動枠であり、このレンズ移動枠２５は上記ガイドバー２９ａ、２９ｂに光軸方向移動可能に支持されている。３２は後部鏡筒本体２８の外面に設けられ、ズーミングレンズ移動枠２５を連動機構（図示せず）を介して光軸方向に駆動するアクチュエータとしてのモータ、３３は後部鏡筒本体２８の外面に設けられ、フォーカスレンズ移動枠３０をねじ棒３４、このねじ棒３４に螺合するナットを有する連動部材３５を介して光軸方向に駆動するアクチュエータとしてのモータ、３６はピント面、３７は有効光束である。
　　　【０００４】
　そして、図示例のように、従来のレンズ鏡筒は、メカ的手段によってレンズ移動枠の位置制御を行うなどの理由により、前部鏡筒本体２１と後部鏡筒本体２８のように光軸方向に複数個に分割されている。
　　　【０００５】
　　【発明が解決しようとする課題】
　しかしながら上記従来例では、有効光束３７と後部鏡筒２８の内面までのクリアランスの長さ、後部鏡筒２８の肉厚分の長さ、後部鏡筒２８の外面とモーター部３２、３３の外形までのクリアランスの長さの３つの長さが存在し、さらにモーター部３２、３３の直径が加わるため鏡筒部の最大外形Ｄに比較して、大きく突出していまうという欠点があった。この結果、コンパクト性に欠けるという欠点があった。
　　　【０００６】
　本発明は上記のような問題点を解消したレンズ鏡筒を提供することを目的とする。
　　　【０００７】
　　【課題を解決するための手段】
　本発明は下記のような構成を有することを特徴とするレンズ鏡筒である。
（１）鏡筒本体内に光軸と平行に配設されたガイドバーと、このガイドバーに沿って光軸方向に移動するレンズ移動枠とを有し、ピント面における有効画面が横長の四角形とされたレンズ鏡筒において前記鏡筒本体の後部に切欠きを設け、該切欠きは前記横長の四角形の上下方向に対応する前記後部の上下面に設けており、この切欠きに前記レンズ移動枠を駆動する駆動装置の一部を入り込ませ、前記切欠きと前記駆動装置との間のすき間を埋めるとともに、前記駆動装置の光軸側の面を覆う低反射率の遮光部材を設けたことである。
　　　【０００８】
　本発明はこれによって、レンズ鏡筒の最大外径を小さくしてコンパクト化を図り、又、前記後部鏡筒の切欠き壁面と前記アクチュエータとの間に遮光部材（防塵防光部材）を設けたことにより、ゴーストやフレアを制御している。
　　　【０００９】
　　【実施例】
実施例１．
　図１は本発明の実施例１を示すレンズ鏡筒の縦断面図、図２はその側面図、図３は図１のＤ−Ｄ線に沿う横断面図である。本発明の構成を前記図６、図７に示した従来例と一部重複するが順次説明する。
　　　【００１０】
　図１〜図３において、２１は前部鏡筒本体であり、この前部鏡筒本体２１の前部と後部にはそれぞれ前群レンズ２２と後群レンズ２３を固定してある。２４ａ，２４ｂは前部鏡筒本体２１の内部に光軸と平行に配設されたガイドバー、２５は変倍レンズ群２５ａを保持するレンズ移動枠であり、このレンズ移動枠２５は上記ガイドバー２４ａ、２４ｂに光軸方向移動可能に支持されている。２６は後群レンズ２３の直前に位置するように前部鏡筒本体２１に設けられた絞りユニット、２７は前部鏡筒本体２１の外面に支持され、上記絞りユニット２６を駆動するアクチュエータとしてのモータである。
　　　【００１１】
　２８は前部鏡筒本体２１の後端に連結固定した後部鏡筒本体、２９ａ、２９ｂは後部鏡筒本体２８の内部に光軸と平行に配設されたガイドバー、３０は焦点を合わせるためのフォーカスレンズ群３１を保持するレンズ移動枠であり、このレンズ移動枠３０は上記ガイドバー２９ａ、２９ｂに光軸方向移動可能に支持されている。３２は後部鏡筒本体２８の切欠き２８ａに設けられ、ズーミングレンズ移動枠２５を連動機構（図示せず）を介して光軸方向に駆動するアクチュエータとしてのモータ、３３は後部鏡筒本体２８の切欠き２８ｂに設けられ、フォーカスレンズ移動枠３０をねじ棒３４、このねじ棒３４に螺合するナットを有する連動部材３５を介して光軸方向に駆動するアクチュエータとしてのモータ、３６はピント面、３７は有効光束である。
　　　【００１２】
　２８ａ、２８ｂは後部鏡筒本体２８の上下面に形成した切欠き、３８ａ、３８ｂは防塵防光部材（遮光部材）であり、この防塵防光部材３８ａ、３８ｂは例えば黒色ツヤ消しゴム、プラスチック、植毛紙等の極力薄い低反射率の遮光部材で図４に示すように容器状に形成され、上記切欠き２８ａ、２８ｂに挿入するモータ３２、３３の挿入部分に予じめ装着する。
　　　【００１３】
　図３中に細線で示した横長の四角形３９は、ピント面３６に配設されたＣＣＤ４０等の有効画面サイズを表わしている。この有効画面サイズは横長の四角形であるため、有効光束３７が一番細くなるのは上下方向である。
　　　【００１４】
　そこで、上記のように後部鏡筒本体２８の上下面の一部に切欠き２８ａ、２８ｂを設け、この切欠き２８ａ、２８ｂにモータ３２、３３の防塵防光部材の装着部の一部を入り込ませ、上下方向の有効光束３７の近傍ギリギリまで近接させて配設したもので、この構成によって、レンズ鏡筒の最大突出部となっていたアクチュエータとしてのモータの突出量を小さくでき、レンズ鏡筒をコンパクト化することができる。
　　　【００１５】
　上記防塵防光部材３８ａ、３８ｂの有効光束対向面に対し、図５に示すように遮光線４１を設けておけば、フレアやゴーストの要因をさらに減らすことができる。
　　　【００１６】
　　【発明の効果】
　以上ように、請求項１の発明によれば、ピント面に近接した後部鏡筒本体の上下面に切欠きを設け、この切欠きにモータを有効光束の近傍に達するまで入り込ませて取付け固定したので、鏡筒表面からのモータ突出量が小さくなり、レンズ鏡筒全体をコンパクト化することができる、切欠き壁面と入り込ませたモータとの間に防塵防光部材を介在させたので、モータと切欠きのすき間から外光が入ることを防止する遮光効果と、有効光束に対するゴースト、フレアーを抑える抑制効果が発揮され、光学性能の劣化を防止できる等の効果がある。
【図面の簡単な説明】
　　【図１】
　本発明の実施例１を示すレンズ鏡筒の縦断面図。
　　【図２】
　本発明の実施例１を示すレンズ鏡筒の側面図。
　　【図３】
　図１のＤ−Ｄ線に沿う横断面図。
　　【図４】
　防塵防光部材の斜視図。
　　【図５】
　防塵防光部材の横断面図。
　　【図６】
　従来のレンズ鏡筒を示す縦断面図。
　　【図７】
　従来のレンズ鏡筒を示す左側面図。
　　【符号の説明】
　２１　前部鏡筒本体
　２４ａ，２４ｂ　ガイドバー
　２５　レンズ移動枠
　２６　絞りユニット（光量調整部材）
　２８　後部鏡筒本体
　２８ａ，２８ｂ　切欠き
　２９ａ，２９ｂ　ガイドバー
　３０　レンズ移動枠
　３８ａ，３８ｂ　防塵防光部材